(57)【要約】【課題】天敵の模倣音声と、光とを発して動物を威嚇して駆逐する３６０度全方向動物駆逐装置を提供する。【解決手段】３６０度全方向動物駆逐装置１００は、ハウジング、検知・駆逐装置２、制御部３、設定パネル４及び電源供給部５を備える。検知・駆逐装置２は、ハウジングの一側面に配設されるとともに、動物追跡センサ部２１、天敵音声威嚇部２２、駆逐光線照射部２３及び駆逐超音波出力部２４を有する。駆逐超音波出力部２４は、変動周波数超音波出力ユニット２４１及び少なくとも１つの固定周波数超音波出力ユニット２４２を有する。制御部３は、検知・駆逐装置２と電気的に接続される。動物追跡センサ部２１が動物信号を検出すると、制御部３は、天敵音声威嚇部２２から威嚇用の天敵音声を発し、駆逐光線照射部２３から駆逐用の光線を発し、駆逐超音波出力部２４から駆逐用の超音波を出力する。【選択図】図１
0003220149.tif 000002
【実用新案登録請求の範囲】
【請求項１】
ハウジング、検知・駆逐装置、制御部、設定パネル及び電源供給部を備えた、３６０度全方向動物駆逐装置であって、
前記検知・駆逐装置は、前記ハウジングの一側面に配設されるとともに、動物追跡センサ部、天敵音声威嚇部、駆逐光線照射部及び駆逐超音波出力部を有し、前記駆逐超音波出力部は、変動周波数超音波出力ユニット及び少なくとも１つの固定周波数超音波出力ユニットを有し、
前記制御部は、前記検知・駆逐装置と電気的に接続され、前記動物追跡センサ部が動物信号を検出すると、前記制御部は、前記天敵音声威嚇部から威嚇用の天敵音声を発し、前記駆逐光線照射部から駆逐用の光線を発し、前記駆逐超音波出力部から駆逐用の超音波を出力し、
前記設定パネルは、複数の設定ユニットを有し、前記設定ユニットは、前記制御部を介して前記天敵音声威嚇部、前記駆逐光線照射部、前記変動周波数超音波出力ユニット及び前記固定周波数超音波出力ユニットとそれぞれ電気的に接続され、
前記電源供給部は、前記検知・駆逐装置、前記制御部及び前記設定パネルと電気的に接続されていることを特徴とする、３６０度全方向動物駆逐装置。
【請求項２】
前記動物追跡センサ部は、赤外線センサユニットを有することを特徴とする請求項１に記載の３６０度全方向動物駆逐装置。
【請求項３】
前記検知・駆逐装置は、前記ハウジングの互いに対となる両側面にそれぞれ配設された２組を有することを特徴とする請求項１に記載の３６０度全方向動物駆逐装置。
【請求項４】
前記設定ユニットは、音量設定つまみ、天敵音声設定つまみ、駆逐光線設定つまみ、変動周波数超音波設定キー及び固定周波数超音波設定つまみを有することを特徴とする請求項１に記載の３６０度全方向動物駆逐装置。
【請求項５】
前記ハウジングの底面に配設された支持ベースさらに備えることを特徴とする請求項１に記載の３６０度全方向動物駆逐装置。
【請求項６】
前記ハウジングの底面に配設されるとともに、穿孔を有する固定座をさらに備えることを特徴とする請求項５に記載の３６０度全方向動物駆逐装置。
【請求項７】
前記電源供給部は、前記ハウジングの頂面に配設されたソーラーパネルを有することを特徴とする請求項１に記載の３６０度全方向動物駆逐装置。
【請求項８】
嵩上げ棒をさらに備え、
前記ハウジングの中央部には、収容空間が形成され、
前記ハウジングの底面には、前記収容空間の開口部が形成され、前記開口部を介して前記嵩上げ棒が前記収容空間中に挿設されることを特徴とする請求項１に記載の３６０度全方向動物駆逐装置。
【請求項９】
前記ハウジング中に配設させるとともに、前記嵩上げ棒に対して前記ハウジングを旋回させる動力部をさらに備えることを特徴とする請求項８に記載の３６０度全方向動物駆逐装置。
【請求項１０】
前記嵩上げ棒に接続されるとともに、前記嵩上げ棒及び前記ハウジングを旋回させる動力を出力する動力部をさらに備えることを特徴とする請求項８に記載の３６０度全方向動物駆逐装置。
【考案の詳細な説明】
【技術分野】
【０００１】
本考案は、駆逐装置に関し、特に、音声及び光を発して動物を駆逐する３６０度全方向動物駆逐装置に関する。
【背景技術】
【０００２】
従来の動物駆逐装置、特に、農耕エリア又は荒野の道路で用いる動物駆逐装置は、高周波超音波を利用することが一般的である。超音波の周波数は人の可聴領域にないため、人には聞こえないが、動物にとっては不快な音に聞こえるため、動物を駆逐することができる。しかし駆逐手段として超音波を使用する場合、一定期間が過ぎると、動物が超音波に慣れてしまい、駆逐効果が大幅に下がってしまうことがあった。
【考案の概要】
【考案が解決しようとする課題】
【０００３】
そこで、本考案者は、上記課題を解決するための鋭意検討を重ねた結果、かかる知見に基づいて、本考案に想到するに至った。
本考案の課題は、天敵の模倣音声と、光とを発して特定の動物を威嚇して駆逐する３６０度全方向動物駆逐装置を提供することにある。
【課題を解決するための手段】
【０００４】
上記課題を解決するために、本考案の第１の形態によれば、ハウジング、検知・駆逐装置、制御部、設定パネル及び電源供給部を備えた、３６０度全方向動物駆逐装置であって、前記検知・駆逐装置は、前記ハウジングの一側面に配設されるとともに、動物追跡センサ部、天敵音声威嚇部、駆逐光線照射部及び駆逐超音波出力部を有し、前記駆逐超音波出力部は、変動周波数超音波出力ユニット及び少なくとも１つの固定周波数超音波出力ユニットを有し、前記制御部は、前記検知・駆逐装置と電気的に接続され、前記動物追跡センサ部が動物信号を検出すると、前記制御部は、前記天敵音声威嚇部から威嚇用の天敵音声を発し、前記駆逐光線照射部から駆逐用の光線を発し、前記駆逐超音波出力部から駆逐用の超音波を出力し、前記設定パネルは、複数の設定ユニットを有し、前記設定ユニットは、前記制御部を介して前記天敵音声威嚇部、前記駆逐光線照射部、前記変動周波数超音波出力ユニット及び前記固定周波数超音波出力ユニットとそれぞれ電気的に接続され、前記電源供給部は、前記検知・駆逐装置、前記制御部及び前記設定パネルと電気的に接続されていることを特徴とする、３６０度全方向動物駆逐装置を提供する。
【０００５】
前記動物追跡センサ部は、赤外線センサユニットを有することが好ましい。
【０００６】
前記検知・駆逐装置は、前記ハウジングの互いに対となる両側面にそれぞれ配設された２組を有することが好ましい。
【０００７】
前記設定ユニットは、音量設定つまみ、天敵音声設定つまみ、駆逐光線設定つまみ、変動周波数超音波設定キー及び固定周波数超音波設定つまみを有することが好ましい。
【０００８】
前記ハウジングの底面に配設された支持ベースさらに備えることが好ましい。
【０００９】
前記ハウジングの底面に配設されるとともに、穿孔を有する固定座をさらに備えることが好ましい。
【００１０】
前記電源供給部は、前記ハウジングの頂面に配設されたソーラーパネルを有することが
好ましい。
【００１１】
嵩上げ棒をさらに備え、前記ハウジングの中央部には、収容空間が形成され、前記ハウジングの底面には、前記収容空間の開口部が形成され、前記開口部を介して前記嵩上げ棒が前記収容空間中に挿設されることが好ましい。
【００１２】
前記ハウジング中に配設させるとともに、前記嵩上げ棒に対して前記ハウジングを旋回させる動力部をさらに備えることが好ましい。
【００１３】
前記嵩上げ棒に接続されるとともに、前記嵩上げ棒及び前記ハウジングを旋回させる動力を出力する動力部をさらに備えることが好ましい。
【考案の効果】
【００１４】
本考案の３６０度全方向動物駆逐装置は、駆逐したいターゲット動物に対して駆逐光線を照射し、変動周波数超音波又は複数の固定周波数超音波を出力して動物を威嚇する上、特定の種類のターゲット動物に対して対応する天敵に模倣した音声を発し、当該領域に天敵がいるようにターゲット動物に誤認させて駆逐することができるため、動物駆逐効果が高い。
【図面の簡単な説明】
【００１５】
【図１】本考案の一実施形態に係る３６０度全方向動物駆逐装置を示すブロック図である。
【図２】本考案の一実施形態に係る３６０度全方向動物駆逐装置を示す斜視図である。
【図３】本考案の一実施形態に係る３６０度全方向動物駆逐装置を示す左側面図である。
【図４】本考案の一実施形態に係る３６０度全方向動物駆逐装置が動力で回転される状態を示す説明図である。
【考案を実施するための形態】
【００１６】
以下、本考案の目的、特徴及び効果をより分かりやすくするために、具体的な実施形態について図に基づいて詳しく説明する。
【００１７】
図１〜図４を参照する。図１は、本考案の一実施形態に係る３６０度全方向動物駆逐装置を示すブロック図である。図２は、本考案の一実施形態に係る３６０度全方向動物駆逐装置を示す斜視図である。図３は、本考案の一実施形態に係る３６０度全方向動物駆逐装置を示す左側面図である。図４は、本考案の一実施形態に係る３６０度全方向動物駆逐装置が動力で回転される状態を示す説明図である。
【００１８】
まず、図１及び図２を参照する。図１及び図２に示すように、本考案の一実施形態に係る３６０度全方向動物駆逐装置は、少なくともハウジング１、検知・駆逐装置２、制御部３、設定パネル４及び電源供給部５から構成されてなる。
【００１９】
ハウジング１には、検知・駆逐装置２、制御部３、設定パネル４、電源供給部５など複数の要素が取り付けられる。本実施形態のハウジング１は、直方体の構造からなるが、本考案はこれだけに限定されるわけではなく、正方体、円柱体、多角柱、長球など、様々な形状の構造からなってもよい。
【００２０】
検知・駆逐装置２は、ハウジング１の一側面に配設される。検知・駆逐装置２は、動物追跡センサ部２１、天敵音声威嚇部２２、駆逐光線照射部２３及び駆逐超音波出力部２４
を有する。
【００２１】
動物追跡センサ部２１は、３６０度全方向動物駆逐装置１００の検知範囲内の動物の有無を検知する。天敵音声威嚇部２２は、ターゲット動物の天敵の模倣音声を発して威嚇する。例えば、齧歯類の動物を駆逐したい場合は、鷹の模倣音声に設定し、大型動物（例えば、鹿など）を駆逐したい場合は、狼の模倣音声に設定する。関連する設定は、設定パネル４で調整することができ、その詳細については以下で説明する。
【００２２】
駆逐光線照射部２３は、動物を駆逐したり威嚇したりすることができるように強い光を照射する。本実施形態の駆逐光線照射部２３は、配列された複数のＬＥＤランプを含むが、本考案はこれだけに限定されず、他の種類、形状、配列の光源でもよい。
【００２３】
駆逐超音波出力部２４は、変動周波数超音波出力ユニット２４１及び少なくとも１つの固定周波数超音波出力ユニット２４２を有する。本実施形態の変動周波数超音波出力ユニット２４１は、随時、周波数が変化する超音波を出力し、出力する超音波の周波数は１０〜５０ｋＨｚである。固定周波数超音波出力ユニット２４２は、動物が一般に嫌がる周波数固定周波数の超音波を出力する。本実施形態の４つの固定周波数超音波出力ユニット２４２は、異なる固定周波数超音波をそれぞれ出力し、そのうち一つの固定周波数超音波出力ユニット２４２は超音波周波数は１６．５ｋＨｚを出力するが、本考案はこれだけに限定されない。
【００２４】
制御部３は、ハウジング１内に配設されて検知・駆逐装置２と電気的に接続される。動物追跡センサ部２１が動物信号を検出すると、制御部３は、天敵音声威嚇部２２から威嚇用の天敵音声を発し、駆逐光線照射部２３から駆逐用の光線を発し、駆逐超音波出力部２４から駆逐用超音波（固定周波数超音波及び変動周波数超音波を含む）を出力する。
【００２５】
設定パネル４は、ハウジング１の表面に配設され、本実施形態では、検知・駆逐装置２と異なる側面に配設される。設定パネル４は、複数の設定ユニットを有する。これら複数の設定ユニットは、制御部３を介して天敵音声威嚇部２２、駆逐光線照射部２３、変動周波数超音波出力ユニット２４１及び固定周波数超音波出力ユニット２４２とそれぞれ電気的に接続される。ユーザは、これらの設定ユニットを介して、天敵音声威嚇部２２、駆逐光線照射部２３、変動周波数超音波出力ユニット２４１及び固定周波数超音波出力ユニット２４２の設定を調整することができる。
【００２６】
電源供給部５は、検知・駆逐装置２、制御部３及び設定パネル４と電気的に接続されている。電源供給部５は、検知・駆逐装置２、制御部３及び設定パネル４に電力を供給する蓄電ユニット５１を有する。図３に示すように、蓄電ユニット５１はハウジング１内に配設される。ハウジング１は、ユーザが蓄電ユニット５１を交換することができるように蓋体１１を有する。
【００２７】
上述したように、本実施形態の３６０度全方向動物駆逐装置１００は、駆逐したいターゲット動物に対して駆逐光線を照射し、動物を威嚇する変動周波数超音波又は複数の固定周波数超音波を出力することができる上、特定の種類のターゲット動物に対して対応する天敵に模倣した音声を発し、当該領域に天敵がいるように当該動物に誤認させて駆逐する。また、本実施形態の３６０度全方向動物駆逐装置１００には、多種類の駆逐手段を組み合わせて動物の駆逐効果をさらに高めてもよい。
【００２８】
本実施形態において、動物追跡センサ部２１は、赤外線センサユニットを含む。本実施形態の３６０度全方向動物駆逐装置１００は、一定空間範囲内を動物が通過したか否かを高感度かつ低消費電力で検出する赤外線センサユニットを利用してもよい。さらに適宜な
フィルタを加え、検出する動物範囲を設定してもよい（例えば、サイズが大きすぎるか小さすぎる場合に検知を行わない）。しかし、本考案はこれだけに限定せず、他の原理、他の種類の生物検出装置でもよい。例えば、応用力学又は抵抗式のセンサでもよい。
【００２９】
図２及び図３に示すように、本実施形態の検知・駆逐装置２は、ハウジング１の互いに対となる両側面にそれぞれ配設された２組を有する。そのため、本実施形態の３６０度全方向動物駆逐装置１００は、動物の駆逐可能な角度を広げ、２つの方向で動物を検知して駆逐することができる。
【００３０】
図１及び図２に示すように、本実施形態の設定パネル４の複数の設定ユニットは、音量設定つまみ４１、天敵音声設定つまみ４２、駆逐光線設定つまみ４３、変動周波数超音波設定キー４４及び固定周波数超音波設定つまみ４５を有する。音量設定つまみ４１は、ユーザが回して駆逐用音声の音量を設定することができる連続したつまみである。天敵音声設定つまみ４２は、ユーザが切換えて設定することができる予め設定された複数の音声ファイル（例えば、猫、鷹、狼の音声をそれぞれ出力するファイル）を有する。駆逐光線設定つまみ４３は、ユーザが多種類の駆逐光線の照明モード（例えば、点灯、点滅又は点灯オフ）を切換え設定するために用いる。変動周波数超音波設定キー４４は、オン及びオフの２種類のモードに切換えることができる。固定周波数超音波設定つまみ４５は、出力したい固定周波数超音波の周波数にユーザが切換えるのに用いる同じ数の切換えファイルを有する。
【００３１】
本実施形態の３６０度全方向動物駆逐装置１００は、設定パネル４の複数の設定ユニットを介して操作、切換えを容易に行い、様々な動物駆逐モードにすることができる。
【００３２】
また、図２〜図４に示すように、本実施形態の３６０度全方向動物駆逐装置１００は、ハウジング１の底面１２に配設された支持ベース６さらに備え、支持ベース６により支えてハウジング１がひっくり返ることを防ぐ。本実施形態の支持ベース６は、四角形状に配列された４つの要素であるが、本考案はこれだけに限定されず、他の形式又は形状からなってもよい。
【００３３】
また、本実施形態の３６０度全方向動物駆逐装置１００は、ハウジング１の底面１２に同様に配設された固定座７を有する。固定座７は、固定ロープを挿通させる穿孔を有する。そのため、３６０度全方向動物駆逐装置１００は、固定ロープを固定座７に挿通し、固定ロープを他の安定した物体（例えば、電柱又は樹木）に縛り付け、３６０度全方向動物駆逐装置１００をその場に固設することができる。
【００３４】
図１及び図２に示すように、本実施形態の電源供給部５は、ハウジング１の頂面に配設されたソーラーパネル５２を有する。ソーラーパネル５２がソーラーパワーを電力へ変換して供給するため、３６０度全方向動物駆逐装置１００の駆動時間を延ばすことができる。
【００３５】
図４に示すように、本実施形態の３６０度全方向動物駆逐装置１００は、嵩上げ棒８をさらに備える。ハウジング１の中央部には収容空間が形成され、収容空間の開口部１３は、ハウジング１の底面１２に形成され、嵩上げ棒８が開口部１３を介して収容空間中に挿設される。嵩上げ棒８によりハウジング１を高く調整し、３６０度全方向動物駆逐装置１００が検知して駆逐できる範囲を広げることができる。
【００３６】
図４に示すように、３６０度全方向動物駆逐装置１００は、嵩上げ棒８に接続された動力部９をさらに備える。動力部９は、動力を出力して嵩上げ棒８及びハウジング１を旋回させる。そのため、３６０度全方向動物駆逐装置１００が検知して駆逐することができる
範囲が３６０度の全方位となり、検知及び駆逐の死角が無い。
【００３７】
また他の実施形態では、動力部９がハウジング１中に配設され（図示せず）、嵩上げ棒８対してハウジング１を旋回させる。そのため、３６０度全方向動物駆逐装置１００は、ターゲット動物を検知して駆逐し得る範囲が３６０度全方位となり、感知及び駆逐の死角が無く、消費電力が少なめである。
【００３８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３９】
１  ハウジング
２  検知・駆逐装置
３  制御部
４  設定パネル
５  電源供給部
６  支持ベース
７  固定座
８  嵩上げ棒
９  動力部
１１  蓋体
１２  底面
１３  開口部
２１  動物追跡センサ部
２２  天敵音声威嚇部
２３  駆逐光線照射部
２４  駆逐超音波出力部
４１  音量設定つまみ
４２  天敵音声設定つまみ
４３  駆逐光線設定つまみ
４４  変動周波数超音波設定キー
４５  固定周波数超音波設定つまみ
５１  蓄電ユニット
５２  ソーラーパネル
１００  ３６０度全方向動物駆逐装置
２４１  変動周波数超音波出力ユニット
２４２  固定周波数超音波出力ユニット
【図１】
0003220149.tif 000003
【図２】
0003220149.tif 000004
【図３】
0003220149.tif 000005
【図４】
0003220149.tif 000006